(57)【要約】【課題】直流電源出力を必要とする映像音声伝送インタフェースを実装する場合において、宅外へ持ち出す機器では、電源出力による消費電力が機器の連続使用時間に影響を及ぼすとともに、金属片が誤って電源出力端子に接触してショートする危険性がある。【解決手段】映像音声伝送インタフェースを介して、表示装置と接続する映像出力装置において、映像音声伝送インタフェースにおける映像音声信号とは機能的に独立した機器制御信号を介して発行したコマンドに対する応答の有／無に基づき把握した映像音声伝送インタフェースの接続状態に関連付けて、映像音声伝送インタフェースに対する直流電源出力を適応的に制御することによって、消費電力の低減及び安全性の確保を図ることができる。【選択図】  図２
2007274065.tif 000002
【特許請求の範囲】
【請求項１】
外部機器に接続し、前記外部機器に映像信号を出力する映像出力装置であって、
前記映像信号を出力する映像信号出力手段と、
直流定電圧を出力する直流定電圧出力手段と、
前記直流定電圧出力手段からの前記直流定電圧出力のオン／オフ切り替えを制御する直流定電圧出力制御スイッチと、
前記外部機器を制御する接続機器制御手段と、
前記接続機器制御手段を介した信号の有／無により、前記直流定電圧出力制御スイッチの制御を行う制御手段とを有する映像出力装置。
【請求項２】
前記制御手段は、前記接続機器制御手段を介して発行したコマンドに対する応答の有／無により、前記直流定電圧出力制御スイッチの制御を行う請求項１記載の映像出力装置。
【請求項３】
前記接続機器制御手段を介して接続された機器が、
前記接続機器制御手段を介した機器接続ツリー上のルート機器である請求項１記載の映像出力装置。
【請求項４】
外部機器に接続し、前記外部機器に映像信号を出力する映像出力装置であって、
前記映像信号を出力する映像信号出力手段と、
直流定電圧を出力する直流定電圧出力手段と、
前記直流定電圧出力手段からの前記直流定電圧出力のオン／オフ切り替えを制御する直流定電圧出力制御スイッチと、
ユーザ操作のためのユーザインタフェースと、
前記ユーザインタフェース操作により、前記直流定電圧出力制御スイッチの制御を行う制御手段とを有する映像出力装置。
【請求項５】
前記外部機器と通信し、前記外部機器がサポートする映像信号フォーマットを取得するデータ通信チャンネルと、
前記外部機器が、前記直流定電圧を検知し、かつ前記映像信号フォーマットを取得すべき状態に遷移したことを通知する接続検知信号を、前記外部機器より受信する接続検知信号入力手段とを有し、
前記制御手段は、前記接続検知信号入力手段に前記接続検知信号が入力されている間は、前記ユーザインタフェース操作による、前記直流定電圧出力制御スイッチの制御を行わない請求項４記載の映像出力装置。
【請求項６】
前記ユーザインタフェースが、前記直流定電圧出力手段からの前記直流定電圧出力を常時オンとする設定を有する請求項４記載の映像出力装置。
【請求項７】
ユーザが前記常時オンとする設定を選択した時は、前記ユーザインタフェースを介して警告を発する請求項６記載の映像出力装置。
【請求項８】
外部機器に接続し、前記外部機器に映像信号を出力する映像出力装置であって、
前記映像信号を出力する映像信号出力手段と、
直流定電圧を出力する直流定電圧出力手段と、
前記直流定電圧出力手段からの前記直流定電圧出力のオン／オフ切り替えを制御する直流定電圧出力制御スイッチと、
装置の駆動源たるバッテリ入力手段と、
外部電源入力手段と、
前記バッテリ入力手段及び前記外部電源入力手段への電源入力状態を検知する電源入力検知手段と、
前記電源入力検知手段が前記外部電源入力手段への電源入力を検知している間は、前記直流定電圧出力制御スイッチによる前記直流定電圧出力をオンとする制御手段とを有する映像出力装置。
【請求項９】
ユーザ操作のためのユーザインタフェースを有し、
前記直流定電圧出力がオンである間、もしくは前記直流定電圧出力がオフからオン、もしくはオンからオフに遷移した際に、前記ユーザインタフェースを介して警告を発する請求項８記載の映像出力装置。
【請求項１０】
外部機器に接続し、前記外部機器に映像信号を出力する映像出力装置であって、
前記映像信号を出力する映像信号出力手段と、
直流定電圧を出力する直流定電圧出力手段と、
前記直流定電圧出力手段からの前記直流定電圧出力のオン／オフ切り替えを制御する直流定電圧出力制御スイッチと、
前記外部機器と通信し、前記外部機器がサポートする映像信号フォーマットを取得するデータ通信チャンネルと、
前記外部機器が、前記直流定電圧を検知し、かつ前記映像信号フォーマットを取得すべき状態に遷移したことを通知する接続検知信号を、前記外部機器より受信する接続検知信号入力手段と、
前記映像信号出力手段と前記直流定電圧出力手段と前記データ通信チャンネルと前記接続検知信号入力手段とが一体化されたコネクタと、
前記コネクタに対する接続ケーブルの物理的接続の有／無を検知する物理的ケーブル接続検知手段と、
前記物理的ケーブル接続検知手段が前記接続ケーブルの物理的接続を検知している間は、前記直流定電圧出力制御スイッチによる前記直流定電圧出力をオンとする制御手段とを有する映像出力装置。
【請求項１１】
ユーザ操作のためのユーザインタフェースを有し、
前記物理的ケーブル接続検知手段が前記接続ケーブルの物理的接続を検知している間、もしくは前記物理的ケーブル接続検知手段が前記接続ケーブルの装着を検知した際、もしくは前記物理的ケーブル接続検知手段が前記接続ケーブルの排出を検知した際に、前記ユーザインタフェースを介して警告を発する請求項１０記載の映像出力装置。
【請求項１２】
前記映像信号出力手段は、ＨＤＭＩ（ハイ−ディフィニション・マルチメディア・インタフェース）規格、もしくはＤＶＩ（デジタル・ヴィジュアル・インタフェース）規格のＴＭＤＳ（トランジション・ミニマイズド・ディファレンシャル・シグナリング）出力であり、
前記直流定電圧出力手段は、＋５Ｖ電源出力であり、
前記データ通信チャンネルは、ＤＤＣ（ディスプレイ・データ・チャンネル）であり、
前記接続検知信号入力手段は、ＨＰＤ（ホット・プラグ・ディテクト）入力である請求項１から１１のいずれか記載の映像出力装置。
【請求項１３】
前記接続機器制御手段が、ＨＤＭＩ（ハイ−ディフィニション・マルチメディア・インタフェース）規格のＣＥＣ（コンシューマ・エレクトロニクス・コントロール）ラインである請求項１、２、３、１２のいずれか記載の映像出力装置。
【請求項１４】
前記機器接続ツリー上のルート機器が、ＨＤＭＩ（ハイ−ディフィニション・マルチメディア・インタフェース）規格のＣＥＣ（コンシューマ・エレクトロニクス・コントロール）接続ツリー上のＣＥＣ対応テレビ、もしくは前記ＣＥＣ対応テレビに相当する機能を有するシンク機器である請求項３、１２、１３のいずれか記載の映像出力装置。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）対応ソース機器、特に、ＨＤＭＩ対応デジタルビデオカメラのような持ち運び可能な映像出力装置に関するものである。
【背景技術】
【０００２】
デジタルＨＤ（Ｈｉｇｈ−Ｄｅｆｉｎｉｔｉｏｎ）放送の開始、及びＨＤ対応薄型テレビの低価格化を背景に、一般家庭においても、高画質なＨＤ映像の視聴環境が、本格的な普及期に入ってきたと言える。
【０００３】
テレビのＨＤ化の波を受けて、一般ユーザが自ら撮りたい映像を撮影する民生デジタルビデオカメラの世界においても、ＨＤ化に対するニーズは確実に高まってきており、ＨＤ記録、再生に対応したデジタルビデオカメラも市場に登場し始めている。
【０００４】
また、デジタルＨＤ信号の非圧縮デジタル伝送フォーマットに関しては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格（非特許文献１参照）が規格化されている。ＨＤＭＩ規格は、ＨＤ信号の非圧縮デジタル伝送フォーマットにおける業界標準であり、今日では、デジタルテレビ、ＤＶＤ／ＨＤＤレコーダ等の宅内据置機器を中心に、多くのデジタルＨＤ入出力対応機器がＨＤＭＩ入出力を搭載している。
【０００５】
ＨＤＭＩ規格は、前述の通りデジタルＨＤ信号の非圧縮デジタル伝送に関する規格であるが、別途、ＨＤＭＩ規格のオプションとして、ＣＥＣ（Ｃｏｎｓｕｍｅｒ  Ｅｌｅｃｔｒｏｎｉｃｓ  Ｃｏｎｔｒｏｌ）規格（非特許文献１参照）が定義されている。
【０００６】
ＣＥＣ規格は、ＨＤＭＩ端子にある１本の端子（ＣＥＣ端子）を介して、ＨＤＭＩ接続機器の制御を相互に行うことができるシリアル通信プロトコルである。ＣＥＣ規格は、特に、他のＨＤＭＩ接続機器に対する電源操作、再生操作等の上位ユーザインタフェースに関する機器間通信にフォーカスしたプロトコルであり、ＣＥＣ規格に対応したＨＤＭＩ機器を相互に接続することによって、ＨＤＭＩ機器同士の連携動作が可能となり、ユーザに対して、より一層便利で分かりやすい操作系を提供できる。
【０００７】
これらの背景を鑑みると、従来、ＨＤＭＩ伝送機能は宅内据置機器を中心に普及してきたが、今後は、ＨＤ対応デジタルビデオカメラのような宅外ポータブル機器においても、ＨＤＭＩ出力機能を搭載する機種が増えてくるものと予想される。また、操作系の向上を目的として、ＣＥＣ機能をサポートするＨＤＭＩ機器も、今後は増える可能性がある。
【非特許文献１】「Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．２」  Ｈｉｔａｃｈｉ，Ｌｔｄ．／Ｍａｔｓｕｓｈｉｔａ  Ｅｌｅｃｔｒｉｃ  Ｉｎｄｕｓｔｒｉａｌ  Ｃｏ．，Ｌｔｄ．／Ｐｈｉｌｉｐｓ  Ｃｏｎｓｕｍｅｒ  Ｅｌｅｃｔｒｏｎｉｃｓ，Ｉｎｔｅｒｎａｔｉｏｎａｌ  Ｂ．Ｖ．／Ｓｉｌｉｃｏｎ  Ｉｍａｇｅ，Ｉｎｃ．／Ｓｏｎｙ  Ｃｏｒｐｏｒａｔｉｏｎ／Ｔｈｏｍｓｏｎ  Ｉｎｃ．／Ｔｏｓｈｉｂａ  Ｃｏｒｐｏｒａｔｉｏｎ  Ａｕｇｕｓｔ  ２２，２００５
【発明の開示】
【発明が解決しようとする課題】
【０００８】
ＨＤＭＩ出力機器は、ＨＤＭＩ出力の所定の端子に＋５Ｖの定電圧源を有することが規格で定められており、少なくともＨＤＭＩ出力に関する一連の処理を実行している間は、ＨＤＭＩ入力機器に対して、常に＋５Ｖ出力を供給しなければならない。
【０００９】
宅内据置機器の場合、ＡＣコンセントからの電源供給が前提である。また、ＨＤＭＩ端子は背面パネルに実装されていることが多く、機器設置時にＨＤＭＩケーブルを一旦接続した後は、取り外すことなく常時接続した状態で使用するという形態が一般的である。
【００１０】
従って、この場合、ＨＤＭＩ出力端子から＋５Ｖを出力することに関しては、消費電力、及び安全性の面で開発の障害となるような特筆すべき課題はないと言える。
【００１１】
一方、宅外ポータブル機器に対して、同様にＨＤＭＩ出力機能を搭載することを考えた場合、いくつかの課題が浮かび上がってくる。
【００１２】
まず、電源供給に関しては、自由に宅外へ持ち出して使用することが前提の機器であることから、二次電池等のＤＣ電源駆動を主たる電源供給手段として考慮する必要がある。電池駆動機器の場合、消費電力が機器の連続使用時間に直接影響を及ぼすため、宅内据置機器以上に消費電力に対する要求は厳しい。不要な電力消費は極限まで抑えて、少しでも使用時間を長くすることが求められる。
【００１３】
また、安全性の面で言えば、テレビ台の下、オーディオラックの中といった安定な場所に常設される宅内据置機器と異なり、電源を入れた状態のままカバンの中に入れて持ち運ぶといった不安定な使用条件も考慮する必要がある。従って、金属片が誤ってＨＤＭＩ端子の＋５Ｖ−ＧＮＤ間に接触してショートするような危険性も想定した上で、実使用においてそのような事故が発生することのないように、ＨＤＭＩ出力を使用しない時は＋５Ｖ出力を停止する制御を実装することが望ましい。
【００１４】
一方、ＨＤＭＩ伝送における概略シーケンスは下記の通りである。
（１）ＨＤＭＩ出力（ソース）機器が＋５Ｖ出力する。
（２）ＨＤＭＩ入力（シンク）機器は＋５Ｖを検知し、かつ、Ｅ−ＥＤＩＤ（Ｅｎｈａｎｓｅｄ  Ｅｘｔｅｎｄｅｄ  Ｄｉｓｐｌａｙ  Ｉｄｅｎｔｉｆｉｃａｔｉｏｎ  Ｄａｔａ）情報を出力可能な状態に遷移すると、ＨＰＤ（Ｈｏｔ  Ｐｌｕｇ  Ｄｅｔｅｃｔ）信号をアサートする。
（３）ＨＤＭＩ出力機器はＤＤＣ（Ｄｉｓｐｌａｙ  Ｄａｔａ  Ｃｈａｎｎｅｌ）を介してＥ−ＥＤＩＤ情報を読み出し、入力機器がサポートする信号フォーマットを得る。
（４）ＨＤＭＩ出力機器は適切な信号フォーマットで、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）出力を開始する。
【００１５】
つまり、一連のシーケンスにおける最初のトリガは出力機器からの＋５Ｖ出力であり、ＨＤＭＩ出力機器とＨＤＭＩ入力機器がＨＤＭＩケーブルを介して相互に接続された状態にも関わらず、ＨＤＭＩ出力機器が＋５Ｖを出力できなければ、以降のＨＤＭＩ伝送シーケンスを実行することはできない。従って、適応的に＋５Ｖ出力を停止する場合、ＨＤＭＩ端子の接続状態を正しく認識できなければ、不適切な＋５Ｖ出力停止処理によってＨＤＭＩ出力不具合が発生する。
【００１６】
以上より、解決しようとする問題点は、ＨＤＭＩ出力端子のような定電圧源端子を含む映像音声伝送インタフェースを有するポータブル機器における、消費電力の低減及び安全性の確保と伝送インタフェース機能に関する不具合の回避との両立を実現することである。
【課題を解決するための手段】
【００１７】
本発明の映像出力装置は、外部機器に接続し、前記外部機器に映像信号を出力する映像出力装置であって、前記映像信号を出力する映像信号出力手段と、直流定電圧を出力する直流定電圧出力手段と、前記直流定電圧出力手段からの前記直流定電圧出力のオン／オフ切り替えを制御する直流定電圧出力制御スイッチと、前記外部機器を制御する接続機器制御手段と、前記接続機器制御手段を介した信号の有／無により、前記直流定電圧出力制御スイッチの制御を行う制御手段とを有する。
【発明の効果】
【００１８】
本発明は、映像音声伝送インタフェースと機能的に独立な機器制御信号を利用して接続対象機器の有無を確認することで、直流定電圧入力の検知をトリガとして上記映像音声伝送インタフェースをスタンバイ状態から通常動作に遷移するような構成の機器、あるいは入力として選択されていない端子の上記映像音声伝送インタフェースを非アクティブとするような構成の機器との接続においても接続状態を正しく認識することが可能となる。すなわち、上記映像音声伝送インタフェースの構成に依存することなく入力機器の接続の有無を確認することによって適応的な直流定電圧出力制御が可能となり、消費電力の低減及び安全性の確保を図ることができる、という利点がある。
【発明を実施するための最良の形態】
【００１９】
本発明の映像出力装置は、外部機器に接続し、前記外部機器に映像信号を出力する映像出力装置であって、前記映像信号を出力する映像信号出力手段と、直流定電圧を出力する直流定電圧出力手段と、前記直流定電圧出力手段からの前記直流定電圧出力のオン／オフ切り替えを制御する直流定電圧出力制御スイッチと、前記外部機器を制御する接続機器制御手段と、前記接続機器制御手段を介した信号の有／無により、前記直流定電圧出力制御スイッチの制御を行う制御手段とを有することにより、接続機器制御手段を介した信号をモニタすることで、接続状態を認識することができ、直流定電圧の出力制御が可能となり、消費電力の低減及び安全性の確保を図ることができる。
【００２０】
上記の構成にかかる映像出力装置において、前記制御手段は、前記接続機器制御手段を介して発行したコマンドに対する応答の有／無により、前記直流定電圧出力制御スイッチの制御を行うとしてもよい。
【００２１】
また、上記の構成にかかる映像出力装置において、前記接続機器制御手段を介して接続された機器が、前記接続機器制御手段を介した機器接続ツリー上のルート機器であるとしてもよい。
【００２２】
本発明の映像出力装置は、外部機器に接続し、前記外部機器に映像信号を出力する映像出力装置であって、前記映像信号を出力する映像信号出力手段と、直流定電圧を出力する直流定電圧出力手段と、前記直流定電圧出力手段からの前記直流定電圧出力のオン／オフ切り替えを制御する直流定電圧出力制御スイッチと、ユーザ操作のためのユーザインタフェースと、前記ユーザインタフェース操作により、前記直流定電圧出力制御スイッチの制御を行う制御手段とを有することにより、ユーザ設定による直流定電圧の出力制御が可能となり、消費電力の低減及び安全性の確保を図ることができる。
【００２３】
上記の構成にかかる映像出力装置において、前記外部機器と通信し、前記外部機器がサポートする映像信号フォーマットを取得するデータ通信チャンネルと、前記外部機器が、前記直流定電圧を検知し、かつ前記映像信号フォーマットを取得すべき状態に遷移したことを通知する接続検知信号を、前記外部機器より受信する接続検知信号入力手段とを有し、
前記制御手段は、前記接続検知信号入力手段に前記接続検知信号が入力されている間は、前記ユーザインタフェース操作による、前記直流定電圧出力制御スイッチの制御を行わないとしてもよい。
【００２４】
上記の構成にかかる映像出力装置において、前記ユーザインタフェースが、前記直流定電圧出力手段からの前記直流定電圧出力を常時オンとする設定を有するとしてもよい。
【００２５】
上記の構成にかかる映像出力装置において、ユーザが前記常時オンとする設定を選択した時は、前記ユーザインタフェースを介して警告を発するとしてもよい。
【００２６】
本発明の映像出力装置は、外部機器に接続し、前記外部機器に映像信号を出力する映像出力装置であって、前記映像信号を出力する映像信号出力手段と、直流定電圧を出力する直流定電圧出力手段と、前記直流定電圧出力手段からの前記直流定電圧出力のオン／オフ切り替えを制御する直流定電圧出力制御スイッチと、装置の駆動源たるバッテリ入力手段と、外部電源入力手段と、前記バッテリ入力手段及び前記外部電源入力手段への電源入力状態を検知する電源入力検知手段と、前記電源入力検知手段が前記外部電源入力手段への電源入力を検知している間は、前記直流定電圧出力制御スイッチによる前記直流定電圧出力をオンとする制御手段とを有することにより、バッテリの接続／入力状態による直流定電圧の出力制御が可能となり、消費電力の低減及び安全性の確保を図ることができる。
【００２７】
上記の構成にかかる映像出力装置において、ユーザ操作のためのユーザインタフェースを有し、前記直流定電圧出力がオンである間、もしくは前記直流定電圧出力がオフからオン、もしくはオンからオフに遷移した際に、前記ユーザインタフェースを介して警告を発するとしてもよい。
【００２８】
本発明の映像出力装置は、外部機器に接続し、前記外部機器に映像信号を出力する映像出力装置であって、前記映像信号を出力する映像信号出力手段と、直流定電圧を出力する直流定電圧出力手段と、前記直流定電圧出力手段からの前記直流定電圧出力のオン／オフ切り替えを制御する直流定電圧出力制御スイッチと、前記外部機器と通信し、前記外部機器がサポートする映像信号フォーマットを取得するデータ通信チャンネルと、前記外部機器が、前記直流定電圧を検知し、かつ前記映像信号フォーマットを取得すべき状態に遷移したことを通知する接続検知信号を、前記外部機器より受信する接続検知信号入力手段と、前記映像信号出力手段と前記直流定電圧出力手段と前記データ通信チャンネルと前記接続検知信号入力手段とが一体化されたコネクタと、前記コネクタに対する接続ケーブルの物理的接続の有／無を検知する物理的ケーブル接続検知手段と、前記物理的ケーブル接続検知手段が前記接続ケーブルの物理的接続を検知している間は、前記直流定電圧出力制御スイッチによる前記直流定電圧出力をオンとする制御部とを有することにより、物理的ケーブル接続状態の検知による直流定電圧の出力制御が可能となり、消費電力の低減及び安全性の確保を図ることができる。
【００２９】
上記の構成にかかる映像出力装置において、ユーザ操作のためのユーザインタフェースを有し、前記物理的ケーブル接続検知手段が前記接続ケーブルの物理的接続を検知している間、もしくは前記物理的ケーブル接続検知手段が前記接続ケーブルの装着を検知した際、もしくは前記物理的ケーブル接続検知手段が前記接続ケーブルの排出を検知した際に、前記ユーザインタフェースを介して警告を発するとしてもよい。
【００３０】
上記の構成にかかる映像出力装置において、前記映像信号出力手段は、ＨＤＭＩ（ハイ−ディフィニション・マルチメディア・インタフェース）規格、もしくはＤＶＩ（デジタル・ヴィジュアル・インタフェース）規格のＴＭＤＳ（トランジション・ミニマイズド・ディファレンシャル・シグナリング）出力であり、前記直流定電圧出力手段は、＋５Ｖ電源出力であり、前記データ通信チャンネルは、ＤＤＣ（ディスプレイ・データ・チャンネル）であり、前記接続検知信号入力手段は、ＨＰＤ（ホット・プラグ・ディテクト）入力であるとしてもよい。
【００３１】
上記の構成にかかる映像出力装置において、前記接続機器制御手段が、ＨＤＭＩ（ハイ−ディフィニション・マルチメディア・インタフェース）規格のＣＥＣ（コンシューマ・エレクトロニクス・コントロール）ラインであるとしてもよい。
【００３２】
上記の構成にかかる映像出力装置において、前記機器接続ツリー上のルート機器が、ＨＤＭＩ（ハイ−ディフィニション・マルチメディア・インタフェース）規格のＣＥＣ（コンシューマ・エレクトロニクス・コントロール）接続ツリー上のＣＥＣ対応テレビ、もしくは前記ＣＥＣ対応テレビに相当する機能を有するシンク機器であるとしてもよい。
【００３３】
以下、本発明の実施の形態について、図面を用いて説明する。
【００３４】
（実施の形態１）
図１は、本発明の実施の形態１における映像出力装置のシステム構成を示すブロック図である。
【００３５】
図１において、本システム、すなわち映像出力装置１００は、デジタル映像出力手段１０１、デジタル音声出力手段１０２を有し、デジタル映像出力手段１０１からＥＩＡ／ＣＥＡ−８６１Ｂフォーマットデータ１０３、デジタル音声出力手段１０２からＩＥＣ６０９５８フォーマットデータ１０４をそれぞれ出力する。ＥＩＡ／ＣＥＡ−８６１Ｂフォーマットデータ１０３、及びＩＥＣ６０９５８フォーマットデータ１０４はＴＭＤＳ回路１０５に入力される。ＴＭＤＳ回路１０５はＡＶ入力Ｉ／Ｆ１０６、ＴＭＤＳトランスミッタ１０７より構成されており、ＡＶ入力Ｉ／Ｆ１０６に入力されたＥＩＡ／ＣＥＡ−８６１Ｂフォーマットデータ１０３、ＩＥＣ６０９５８フォーマットデータ１０４はフォーマット変換処理されてＴＭＤＳトランスミッタ１０７に送られる。ＴＭＤＳトランスミッタ１０７でエンコード処理、及びシリアル化処理された後、ＴＭＤＳトランスミッタ１０７のＴＭＤＳ差動ドライバを介してＴＭＤＳ信号１０８が出力される。
【００３６】
ＨＤＭＩシンク機器がサポートするビデオ／オーディオフォーマット等が記述されたＥ−ＥＤＩＤデータの取得、及びＨＤＭＩ出力制御に関してのシンク機器との通信は、Ｉ２Ｃコントローラ１０９を介して接続されたＤＤＣバス１１０上で行われる。
【００３７】
シンク機器への＋５Ｖ出力１１１は定電圧出力手段１１２から供給される。＋５Ｖ出力１１１は、オン／オフ制御のため、制御スイッチ１１３を介して出力される。
【００３８】
シンク機器からのＨＰＤ信号１１４、ＨＤＭＩ接続機器間の操作系制御を司るＣＥＣ信号１１５、及び制御スイッチ１１３の制御信号はＩ／Ｏポート１１６を介して制御される。ＨＰＤ信号１１４はＩ／Ｏポート１１６の入力ポートに、制御スイッチ１１３の制御信号はＩ／Ｏポート１１６の出力ポートに、ＣＥＣ信号１１５はＩ／Ｏポート１１６の入出力（双方向）ポートにそれぞれ接続される。
【００３９】
ＴＭＤＳ信号１０８、ＤＤＣバス１１０、＋５Ｖ出力１１１、ＨＰＤ信号１１４、ＣＥＣ信号１１５はＨＤＭＩレセプタクル１１７に接続される。システム全体の制御はＣＰＵ１１８とメモリ１１９を有するシステムコントローラ１２０がＣＰＵバス１２１を介して行う。
【００４０】
ＨＤＭＩレセプタクル１１７には着脱可能なＨＤＭＩケーブル１２２が装着されており、ＨＤＭＩケーブル１２２の他方の端子はＣＥＣ対応ＨＤＭＩシンク機器１２３のＨＤＭＩレセプタクル１２４に同じく着脱可能な形態において装着されている。
【００４１】
以下、本発明の実施の形態１において、ユーザ操作によってＨＤＭＩケーブル１２２の接続状態が変化する場合の動作について説明する。図２は本発明の実施の形態１におけるシステムの動作を示すシーケンス図である。図２において、ソース機器は本システムであり、接続対象となるＣＥＣ対応ＨＤＭＩシンク機器１２３はＣＥＣ対応ＴＶである。
【００４２】
本システムは、ＣＥＣ対応ＨＤＭＩシンク機器１２３の接続状態を確認するために、ＣＥＣ信号１１５、Ｉ／Ｏポート１１６を制御し、一定の周期で、ＣＥＣ対応ＨＤＭＩシンク機器１２３を宛先として＜Ｐｏｌｌｉｎｇ  Ｍｅｓｓａｇｅ＞ＣＥＣコマンドを発行する。図２の初期状態において、ＨＤＭＩケーブル１２２は非接続であるので、本システムからの＜Ｐｏｌｌｉｎｇ  Ｍｅｓｓａｇｅ＞ＣＥＣコマンドに対してＣＥＣ対応ＨＤＭＩシンク機器１２３が応答することはない。すなわち、＜Ｐｏｌｌｉｎｇ  Ｍｅｓｓａｇｅ＞ＣＥＣコマンドに対するＡＣＫ応答がないという結果によって、本システムのシステムコントローラ１２０はＨＤＭＩ非接続状態であると判定し、制御スイッチ１１３、Ｉ／Ｏポート１１６を制御して定電圧出力手段１１２の＋５Ｖ出力１１１への出力をオフする。
【００４３】
次に、ユーザ操作によってＨＤＭＩケーブル１２２が接続された時の動作について説明する。ＨＤＭＩケーブル１２２が接続されることにより、本システムより周期的に発行している＜Ｐｏｌｌｉｎｇ  Ｍｅｓｓａｇｅ＞ＣＥＣコマンドに対して、ＣＥＣ対応ＨＤＭＩシンク機器１２３はＡＣＫ応答を返す。本システムのシステムコントローラ１２０はＣＥＣ信号１１５、Ｉ／Ｏポート１１６を介してＣＥＣ対応ＨＤＭＩシンク機器１２３のＡＣＫ応答を検知し、ＨＤＭＩ接続状態に遷移したと判定する。そして、制御スイッチ１１３、Ｉ／Ｏポート１１６を制御して定電圧出力手段１１２の＋５Ｖ出力１１１への出力をオンする。
【００４４】
ＣＥＣ対応ＨＤＭＩシンク機器１２３は本システムから出力された＋５Ｖを検知すると、Ｅ−ＥＤＩＤ情報の設定を行い、Ｅ−ＥＤＩＤ情報が読み出し可能になった時点で、本システムにＨＰＤ信号をアサートする。この時、ＣＥＣ対応ＨＤＭＩシンク機器１２３から本システムにアサートされるＨＰＤ信号は、＋５Ｖ出力１１１を入力とするリターン信号として生成される。
【００４５】
本システムのシステムコントローラ１２０は、ＨＰＤ信号１１４、Ｉ／Ｏポート１１６を介して、ＨＰＤ信号が“Ｈ”に遷移したことを検知する。そして、ＨＰＤ信号のアサートを受けて、ＣＥＣ対応ＨＤＭＩシンク機器１２３のＥ−ＥＤＩＤ情報を読み出し可能な状態に遷移したことを認識し、Ｉ２Ｃコントローラ１０９、ＤＤＣバス１１０を介してＣＥＣ対応ＨＤＭＩシンク機器１２３のＥ−ＥＤＩＤ情報を読み出す。
【００４６】
本システムのシステムコントローラ１２０は、ＣＥＣ対応ＨＤＭＩシンク機器１２３のＥ−ＥＤＩＤ情報から、ＣＥＣ対応ＨＤＭＩシンク機器１２３がサポートする映像フォーマット、音声フォーマットを認識し、ＣＥＣ対応ＨＤＭＩシンク機器１２３がサポートするフォーマットに基づいて、デジタル映像出力手段１０１、デジタル音声出力手段１０２、ＴＭＤＳ回路１０５の設定を行う。設定が完了すると、ＴＭＤＳ信号１０８が出力され、ＣＥＣ対応ＨＤＭＩシンク機器１２３は出画／出音を開始する。
【００４７】
そして、この間も並行して、本システムのシステムコントローラ１２０は、ＣＥＣ対応ＨＤＭＩシンク機器１２３に対する＜Ｐｏｌｌｉｎｇ  Ｍｅｓｓａｇｅ＞ＣＥＣコマンドを周期的に発行することによって、ＨＤＭＩ接続状態の確認を継続する。
【００４８】
さらに、上記の出画／出音状態において、ユーザ操作によってＨＤＭＩケーブル１２２が抜かれた時の動作について説明する。ＨＤＭＩケーブル１２２が排出されることによって、ＣＥＣ対応ＨＤＭＩシンク機器１２３は出画／出音を終了してＨＰＤ信号を“Ｌ”に遷移させる。本システムのシステムコントローラ１２０も、ＨＰＤ信号１１４、Ｉ／Ｏポート１１６を介して、ＨＰＤ信号が“Ｌ”に遷移したことを検知すると、デジタル映像出力手段１０１、デジタル音声出力手段１０２、ＴＭＤＳ回路１０５を制御してＴＭＤＳ信号１０８の出力を停止する。
【００４９】
ここで、本システムのシステムコントローラ１２０は、ＣＥＣ対応ＨＤＭＩシンク機器１２３に対する＜Ｐｏｌｌｉｎｇ  Ｍｅｓｓａｇｅ＞ＣＥＣコマンドを周期的に発行している。ＨＤＭＩケーブル１２２の排出後は、＜Ｐｏｌｌｉｎｇ  Ｍｅｓｓａｇｅ＞ＣＥＣコマンドに対するＣＥＣ対応ＨＤＭＩシンク機器１２３からのＡＣＫ応答がなくなることから、本システムのシステムコントローラ１２０はＨＤＭＩ非接続状態に遷移したことを認識し、制御スイッチ１１３、Ｉ／Ｏポート１１６を制御して定電圧出力手段１１２の＋５Ｖ出力１１１への出力をオフする。
【００５０】
このように、発行したＣＥＣコマンドに対する応答の有／無に基づいて、ＨＤＭＩ接続状態を認識することにより、適応的な＋５Ｖ出力制御が可能となり、ＨＤＭＩ出力機能に関する不具合を回避しつつ消費電力の低減及び安全性の確保を図ることができる。
【００５１】
（実施の形態２）
次に、本発明の実施の形態２における、本システムの動作について説明する。本発明の実施の形態２における、本システム、すなわち映像出力装置１００の構成は本発明の実施の形態１と同一であり、説明を省略する。
【００５２】
図３は、本発明の実施の形態２における、ＨＤＭＩ機器の接続形態を示す図である。図３において、本システム、すなわち、すなわち映像出力装置１００は、ＨＤＭＩケーブル１２２を介してＣＥＣ対応ＨＤＭＩシンク機器１２３と接続されている。また、ＣＥＣ対応ＨＤＭＩシンク機器１２３の他方のＨＤＭＩ入力は、ＨＤＭＩケーブル１２６を介してＣＥＣ対応ＨＤＭＩリピータ機器１３９のＨＤＭＩ出力に接続されており、ＣＥＣ対応ＨＤＭＩリピータ機器１３９のＨＤＭＩ入力は、ＨＤＭＩケーブル１２７を介してＣＥＣ対応ＨＤＭＩソース機器１２５のＨＤＭＩ出力に接続されている。
【００５３】
図３に示す接続形態において、ユーザ操作によってＨＤＭＩケーブル１２２の接続状態が変化した場合の動作について以下に示す。図４は、本発明の実施の形態２におけるシステムの動作を示すシーケンス図である。＋５Ｖ出力〜ＨＰＤアサート〜ＤＤＣ通信〜ＴＭＤＳ出力〜ＴＭＤＳ出力停止〜＋５Ｖ出力停止に関する一連の処理は本発明の実施の形態１と同一であり、説明は省略する。ここでは、本発明の実施の形態２における、＋５Ｖ出力制御処理に着目して説明する。
【００５４】
図４において、ＨＤＭＩケーブル１２２が非接続の状態においては、本システムのＣＥＣ信号１１５には一切の通信データが流れない。本システムのシステムコントローラ１２０は、Ｉ／Ｏポート１１６を介してＣＥＣ信号１１５の状態をモニタすることにより、通信データが一切流れていないことを認識する。ＣＥＣ信号１１５のモニタ結果に基づき、本システムのシステムコントローラ１２０は、ＨＤＭＩ非接続状態であると判定し、制御スイッチ１１３、Ｉ／Ｏポート１１６を制御して定電圧出力手段１１２の＋５Ｖ出力１１１への出力をオフする。
【００５５】
ユーザ操作によって、ＨＤＭＩケーブル１２２が接続状態に遷移すると、ＣＥＣ信号が導通するため、本システムのＣＥＣ信号１１５にＣＥＣ通信データのトラフィックが発生する。つまり、ＣＥＣ信号はＨＤＭＩ接続機器間を全て一本の信号線で結ぶシリアルバスであり、ＨＤＭＩトポロジ上に自機器が接続されている間は、自機器宛ではない通信を含め、全てのＣＥＣ通信をモニタすることができる。
【００５６】
従って、本システムのシステムコントローラ１２０は、Ｉ／Ｏポート１１６を介してＣＥＣ信号１１５の状態をモニタすることにより、ＣＥＣ通信データのトラフィックを認識する。この結果、本システムのシステムコントローラ１２０は、ＨＤＭＩ接続状態に遷移したと判定し、制御スイッチ１１３、Ｉ／Ｏポート１１６を制御して定電圧出力手段１１２の＋５Ｖ出力１１１への出力をオンする。
【００５７】
その後、ユーザ操作によって、ＨＤＭＩケーブル１２２が、再度非接続状態に遷移すると、ＣＥＣ信号１１５の通信データが途絶えることから、本システムのシステムコントローラ１２０は、ＨＤＭＩ非接続状態に遷移したと判定し、制御スイッチ１１３、Ｉ／Ｏポート１１６を制御して定電圧出力手段１１２の＋５Ｖ出力１１１への出力をオフする。
【００５８】
このように、ＣＥＣ信号のモニタ結果に基づき、ＨＤＭＩ接続状態を認識することにより、適応的な＋５Ｖ出力制御が可能となり、ＨＤＭＩ出力機能に関する不具合を回避しつつ消費電力の低減及び安全性の確保を図ることができる。
【００５９】
（実施の形態３）
次に、本発明の実施の形態３における、本システムの動作について説明する。図５は、本発明の実施の形態３における、本システム、すなわち映像出力装置１２８の構成を示すブロック図であり、ユーザＩ／Ｆ１２９を有する点を除き、本発明の実施の形態１の映像出力装置１００と同一であり、同一の構成要素に関しては同一の番号を付与し、説明を省略する。
【００６０】
図６は、本発明の実施の形態３における、ユーザインタフェース表示の一例である。ここでは、「ＨＤＭＩ＋５Ｖ出力設定」メニューとして、「自動制御」と「常時オン」のいずれかの設定値が選択できる構成になっている。左右のカーソルキーを操作して、フォーカスを移動し、決定キーを押下すると、フォーカスが当たっている設定値が有効となり、網掛け表示に切り替わる。図６では、「常時オン」が有効な設定値であり、「自動制御」にフォーカスが当たっている状態を示している。これら一連のＧＵＩ表示、キー入力、及び有効な設定値の取得、保存処理は、ユーザＩ／Ｆ１２９、システムコントローラ１２０によって制御される。
【００６１】
図７は、本発明の実施の形態３におけるシステムの動作を示すシーケンス図である。ここでは、ＨＤＭＩケーブルの接続状態の検知手段として、本発明の実施の形態１と同じくＣＥＣ対応ＨＤＭＩシンク機器１２３に対する＜Ｐｏｌｌｉｎｇ  Ｍｅｓｓａｇｅ＞ＣＥＣコマンドのＡＣＫ応答を確認する方法を用いている。
【００６２】
本発明の実施の形態３においては、本システムのシステムコントローラ１２０が、「ＨＤＭＩ＋５Ｖ出力設定」メニューの設定値をモニタしており、設定値が「常時オン」に変化すると、ＨＤＭＩケーブル１２２の接続状態によらず、制御スイッチ１１３、Ｉ／Ｏポート１１６を制御して定電圧出力手段１１２の＋５Ｖ出力１１１への出力をオンする。
【００６３】
その後、ユーザ操作によるケーブル挿入、排出動作が行われると、ＣＥＣ対応ＨＤＭＩシンク機器１２３に対する＜Ｐｏｌｌｉｎｇ  Ｍｅｓｓａｇｅ＞ＣＥＣコマンドのＡＣＫ応答が変化するため、本システムのシステムコントローラ１２０は、ＨＤＭＩケーブル１２２の接続状態の変化を認識する。しかしながら、本発明の実施の形態３においては、「ＨＤＭＩ＋５Ｖ出力設定」メニューの設定値が「常時オン」であることから、ＨＤＭＩケーブル１２２の接続状態の変化によらず、＋５Ｖ出力１１１への出力はオン状態を維持する。
【００６４】
そして、「ＨＤＭＩ＋５Ｖ出力設定」メニューの設定値が「自動制御」に変化すると、本システムのシステムコントローラ１２０は、ＨＤＭＩケーブル１２２の接続状態に応じて、制御スイッチ１１３、Ｉ／Ｏポート１１６を制御して定電圧出力手段１１２の＋５Ｖ出力１１１のオン／オフ設定を行う。今回は、ＨＤＭＩ非接続状態であり、オフ設定を行う。
【００６５】
一方、本発明の実施の形態３における「ＨＤＭＩ＋５Ｖ出力設定」メニュー設定値「自動制御」時のシステム動作は、本発明の実施の形態１におけるシステム動作と同一である。従って、「ＨＤＭＩ＋５Ｖ出力設定」メニュー設定値「自動制御」時のシステム動作の説明は省略する。
【００６６】
このように、ユーザ設定と発行したＣＥＣコマンドに対する応答の有／無により認識したＨＤＭＩ接続状態とに基づいて、適応的な＋５Ｖ出力制御が可能となり、ＨＤＭＩ出力機能に関する不具合を回避しつつ消費電力の低減及び安全性の確保を図ることができる。
【００６７】
ところで、ＨＤＭＩ通信中に「ＨＤＭＩ＋５Ｖ出力設定」メニューの操作を許すことは、システムの操作体系として好ましくない形態であると言える。つまり、ＨＤＭＩ通信中である以上、＋５Ｖ出力は必ずオンでなければならず、「ＨＤＭＩ＋５Ｖ出力設定」メニュー操作を行うべきではない。従って、本発明の実施の形態３では、ＨＰＤ“Ｈ”の区間において「ＨＤＭＩ＋５Ｖ出力設定」メニューが表示されないように、システムコントローラ１２０において制御を行う。また、本発明の実施の形態３では、＋５Ｖ出力が「常時オン」状態である間、もしくは、「常時オン」への状態遷移が発生した際には、ユーザに明示的に通知すべく、ユーザＩ／Ｆ１２９を介して、状態、もしくは状態遷移の表示処理を行う。
【００６８】
（実施の形態４）
次に、本発明の実施の形態４における、本システムの動作について説明する。図８は、本発明の実施の形態４における、本システム、すなわち映像出力装置１３０の構成を示すブロック図であり、ＤＣバッテリ端子１３２へのＤＣバッテリ１３４の接続／入力状態、及びＡＣアダプタ端子１３３へのＡＣアダプタ１３５の接続／入力状態を検知する電源入力検知手段１３１を有する。電源入力検知手段１３１の検知信号はＩ／Ｏポート１１６に入力されており、本システムのシステムコントローラ１２０は、Ｉ／Ｏポート１１６を介してＤＣバッテリ１３４及びＡＣアダプタ１３５の接続／入力状態をモニタする。なお、ＡＣアダプタ１３５の電源は、ＡＣ電源１３６より供給されている。その他のブロックの構成は、本発明の実施の形態１の映像出力装置１００と同一であり、説明を省略する。
【００６９】
図９は、本発明の実施の形態４におけるシステムの動作を示すシーケンス図である。ここでは、ＨＤＭＩケーブルの接続状態の検知手段として、本発明の実施の形態１と同じくＣＥＣ対応ＨＤＭＩシンク機器１２３に対する＜Ｐｏｌｌｉｎｇ  Ｍｅｓｓａｇｅ＞ＣＥＣコマンドのＡＣＫ応答を確認する方法を用いている。
【００７０】
本発明の実施の形態４においては、電源入力検知手段１３１を用いてＤＣバッテリ端子１３２へのＤＣバッテリ１３４の接続／入力状態、及びＡＣアダプタ端子１３３へのＡＣアダプタ１３５の接続／入力状態を検知しており、ＡＣアダプタ端子１３３へのＡＣアダプタ１３５の接続／入力を検知した時点で、ＨＤＭＩケーブル１２２の接続状態によらず、制御スイッチ１１３、Ｉ／Ｏポート１１６を制御して定電圧出力手段１１２の＋５Ｖ出力１１１への出力をオンする。
【００７１】
その後、ユーザ操作によるケーブル挿入、排出動作が行われると、ＣＥＣ対応ＨＤＭＩシンク機器１２３に対する＜Ｐｏｌｌｉｎｇ  Ｍｅｓｓａｇｅ＞ＣＥＣコマンドのＡＣＫ応答が変化するため、本システムのシステムコントローラ１２０は、ＨＤＭＩケーブル１２２の接続状態の変化を認識する。しかしながら、本発明の実施の形態４においては、電源入力検知手段１３１がＡＣアダプタ端子１３３へのＡＣアダプタ１３５の接続／入力を検知した状態であることから、ＨＤＭＩケーブル１２２の接続状態の変化によらず、＋５Ｖ出力１１１への出力はオン状態を維持する。
【００７２】
そして、ユーザ操作によってＡＣアダプタ１３５が排出されると、電源入力検知手段１３１のＡＣアダプタ端子１３３へのＡＣアダプタ１３５の接続／入力状態が非検知状態に変化するため、本システムのシステムコントローラ１２０は、ＨＤＭＩケーブル１２２の接続状態に応じて、制御スイッチ１１３、Ｉ／Ｏポート１１６を制御して定電圧出力手段１１２の＋５Ｖ出力１１１のオン／オフ設定を行う。このときはＨＤＭＩ非接続状態であるので、オフ設定を行う。
【００７３】
このように、バッテリの接続／入力状態に基づいて、適応的な＋５Ｖ出力制御が可能となり、ＨＤＭＩ出力機能に関する不具合を回避しつつ消費電力の低減及び安全性の確保を図ることができる。
【００７４】
（実施の形態５）
次に、本発明の実施の形態５における、本システムの動作について説明する。図１０は、本発明の実施の形態５における、本システム、すなわち映像出力装置１３７の構成を示すブロック図であり、ＨＤＭＩレセプタクル１１７へのＨＤＭＩケーブル１２２の物理的接続状態を検知する物理的ケーブル接続検知手段１３８を有する。物理的ケーブル接続検知手段１３８の検知信号はＩ／Ｏポート１１６に入力されており、本システムのシステムコントローラ１２０は、Ｉ／Ｏポート１１６を介してＨＤＭＩレセプタクル１１７へのＨＤＭＩケーブル１２２の物理的接続状態をモニタする。その他のブロックの構成は、本発明の実施の形態１の映像出力装置１００と同一であり、説明を省略する。
【００７５】
図１１は、本発明の実施の形態５におけるシステムの動作を示すシーケンス図である。ここでは、ＨＤＭＩケーブルの電気的接続状態の検知手段として、本発明の実施の形態１と同じくＣＥＣ対応ＨＤＭＩシンク機器１２３に対する＜Ｐｏｌｌｉｎｇ  Ｍｅｓｓａｇｅ＞ＣＥＣコマンドのＡＣＫ応答を確認する方法を用いている。
【００７６】
図１１において、ＨＤＭＩケーブル１２２の一方の端子だけがＨＤＭＩレセプタクル１１７に接続された場合を考える。このとき、ＨＤＭＩの電気的接続は確立していないので、ＣＥＣ対応ＨＤＭＩシンク機器１２３に対する＜Ｐｏｌｌｉｎｇ  Ｍｅｓｓａｇｅ＞ＣＥＣコマンドのＡＣＫ応答はない。従って、本システムのシステムコントローラ１２０は、ＨＤＭＩの電気的接続状態は非接続状態であると判断する。
【００７７】
しかしながら、ＨＤＭＩレセプタクル１１７にＨＤＭＩケーブル１２２が接続されているため、物理的ケーブル接続検知手段１３８の検知信号がＩ／Ｏポート１１６に入力される。本発明の実施の形態５においては、本システムのシステムコントローラ１２０は、物理的ケーブル接続検知手段１３８がＨＤＭＩレセプタクル１１７へのＨＤＭＩケーブル１２２の物理的接続を検知した時点でＨＤＭＩの電気的接続状態によらず、制御スイッチ１１３、Ｉ／Ｏポート１１６を制御して定電圧出力手段１１２の＋５Ｖ出力１１１への出力をオンする。
【００７８】
その後、ユーザ操作によって、ＣＥＣ対応ＨＤＭＩシンク機器１２３側へのＨＤＭＩケーブル１２２の挿入、排出動作が行われると、ＣＥＣ対応ＨＤＭＩシンク機器１２３に対する＜Ｐｏｌｌｉｎｇ  Ｍｅｓｓａｇｅ＞ＣＥＣコマンドのＡＣＫ応答が変化するため、本システムのシステムコントローラ１２０は、ＨＤＭＩケーブル１２２の電気的接続状態の変化を認識する。しかしながら、本発明の実施の形態５においては、物理的ケーブル接続検知手段１３８がＨＤＭＩレセプタクル１１７へのＨＤＭＩケーブル１２２の物理的接続を検知した状態であることから、ＨＤＭＩケーブル１２２の電気的接続状態の変化によらず、＋５Ｖ出力１１１への出力はオン状態を維持する。
【００７９】
そして、ユーザ操作によってＨＤＭＩレセプタクル１１７からＨＤＭＩケーブル１２２が排出されると、物理的ケーブル接続検知手段１３８の接続検知状態が非検知状態に変化するため、本システムのシステムコントローラ１２０は、制御スイッチ１１３、Ｉ／Ｏポート１１６を制御して定電圧出力手段１１２の＋５Ｖ出力１１１のオフ設定を行う。
【００８０】
このように、物理的ケーブル接続状態を検知することで、適応的な＋５Ｖ出力制御が可能となり、ＨＤＭＩ出力機能に関する不具合を回避しつつ消費電力の低減及び安全性の確保を図ることができる。
【００８１】
なお、本発明の実施の形態３〜５において、ＨＤＭＩケーブルの電気的接続状態を検知する手段として本発明の実施の形態１において開示した方法、すなわち、ＣＥＣ対応ＨＤＭＩシンク機器に対する＜Ｐｏｌｌｉｎｇ  Ｍｅｓｓａｇｅ＞ＣＥＣコマンドのＡＣＫ応答をモニタする方法を適用したが、これは本発明の実施の形態２において開示した方法、すなわち、ＣＥＣライン上に流れるＣＥＣ通信データのトラフィックの有無をモニタする方法であっても構わない。さらに、上記以外の電気的接続状態検知手段が用いられていた場合、あるいは電気的接続状態検知を用いない場合においても本発明は有効である。
【００８２】
また、本発明の実施の形態１〜５はそれぞれ個別の制御手段として開示したが、それぞれの手段を、任意の組み合わせにおいて、同一の装置の中に併せて適用しても、本発明の有効性が損なわれるものではない。
【００８３】
更に、本発明の実施の形態１、３、４、５はＨＤＭＩシンク機器とＨＤＭＩソース機器が１台ずつ接続された接続トポロジ、本発明の実施の形態２はＨＤＭＩシンク機器が１台、ＨＤＭＩリピータ機器が１台、ＨＤＭＩソース機器が２台接続された接続トポロジを有する場合について説明したが、本発明の実施の形態１は、シンク機器がＣＥＣ対応機器であれば、それ以外のＨＤＭＩ機器の接続トポロジは問わない。また、本発明の実施の形態２は、ＨＤＭＩ接続ツリー上に自システム以外のＣＥＣ対応機器が最低１台接続されていれば、同様にそれ以外のＨＤＭＩ機器の接続トポロジには依存しない。そして、本発明の実施の形態１においても、＜Ｐｏｌｌｉｎｇ  Ｍｅｓｓａｇｅ＞ＣＥＣコマンドの発行先を可変とすることによって、ＨＤＭＩ接続ツリー上に自システム以外のＣＥＣ対応機器が最低１台接続されている条件において本発明を適用することが可能となる。
【００８４】
また、本発明の実施の形態３、４、５においては、自システム内で＋５V出力制御を行うことが可能であり、本発明の有効性とＨＤＭＩ機器の接続トポロジとは一切無関係である。
【００８５】
更に、本発明の実施の形態１〜６においては、ＨＤＭＩを対象として説明したが、ＨＤＭＩに限らず、対象となるインタフェース機器が本発明の実施の形態に相当する構成要件を満たしていれば、件のインタフェース機器に対しても、本発明の有効性は適用されるべきものである。
【産業上の利用可能性】
【００８６】
本発明にかかる映像出力装置は、映像音声伝送インタフェースと機能的に独立な機器制御信号を利用して接続対象機器の有無を確認することから、映像音声伝送インタフェースの構成、及び動作状態に依存しない形で、適応的な直流電源出力制御が可能となり、ＨＤＭＩ出力機能を有する宅外ポータブル機器のように、接続互換性を保ちつつ消費電力の低減及び安全性の確保が求められる用途にも適用できる。
【図面の簡単な説明】
【００８７】
【図１】本発明の実施の形態１、２における映像出力装置の構成を示すブロック図
【図２】本発明の実施の形態１における映像出力装置の動作を示すシーケンス図
【図３】本発明の実施の形態２におけるＨＤＭＩ機器の接続形態を示す図
【図４】本発明の実施の形態２における映像出力装置の動作を示すシーケンス図
【図５】本発明の実施の形態３における映像出力装置の構成を示すブロック図
【図６】本発明の実施の形態３におけるユーザインタフェース表示画面を示す図
【図７】本発明の実施の形態３における映像出力装置の動作を示すシーケンス図
【図８】本発明の実施の形態４における映像出力装置の構成を示すブロック図
【図９】本発明の実施の形態４における映像出力装置の動作を示すシーケンス図
【図１０】本発明の実施の形態５における映像出力装置の構成を示すブロック図
【図１１】本発明の実施の形態５における映像出力装置の動作を示すシーケンス図
【符号の説明】
【００８８】
１００、１２８、１３０、１３７  映像出力装置
１０１  デジタル映像出力手段
１０２  デジタル音声出力手段
１０３  ＥＩＡ／ＣＥＡ−８６１Ｂフォーマットデータ
１０４  ＩＥＣ６０９５８フォーマットデータ
１０５  ＴＭＤＳ回路
１０６  ＡＶ入力Ｉ／Ｆ
１０７  ＴＭＤＳトランスミッタ
１０８  ＴＭＤＳ信号
１０９  Ｉ２Ｃコントローラ
１１０  ＤＤＣバス
１１１  ＋５Ｖ出力
１１２  定電圧出力手段
１１３  制御スイッチ
１１４  ＨＰＤ信号
１１５  ＣＥＣ信号
１１６  Ｉ／Ｏポート
１１７、１２４  ＨＤＭＩレセプタクル
１１８  ＣＰＵ
１１９  メモリ
１２０  システムコントローラ
１２１  ＣＰＵバス
１２２、１２６、１２７  ＨＤＭＩケーブル
１２３  ＣＥＣ対応ＨＤＭＩシンク機器
１２５  ＣＥＣ対応ＨＤＭＩソース機器
１２９  ユーザＩ／Ｆ
１３１  電源入力検知手段
１３２  ＤＣバッテリ端子
１３３  ＡＣアダプタ端子
１３４  ＤＣバッテリ
１３５  ＡＣアダプタ
１３６  ＡＣ電源
１３８  物理的ケーブル接続検知手段
１３９  ＣＥＣ対応ＨＤＭＩリピータ機器
【図１】
2007274065.tif 000003
【図２】
2007274065.tif 000004
【図３】
2007274065.tif 000005
【図４】
2007274065.tif 000006
【図５】
2007274065.tif 000007
【図６】
2007274065.tif 000008
【図７】
2007274065.tif 000009
【図８】
2007274065.tif 000010
【図９】
2007274065.tif 000011
【図１０】
2007274065.tif 000012
【図１１】
2007274065.tif 000013